(57)【要約】      （修正有）【課題】一般的な日めくりカレンダーと卓上カレンダーの双方の長所を有するとともに、その日１日分の日付しか示されていないシート体を毎日捲りながら１６日以降は裏面より使用できるとともに、各シート体に文字、図形、写真の表示あるいはメモ書き用の空白部分を設けることのできる使い勝手のよい日めくりカレンダーを提供する。【解決手段】日めくりカレンダーＤは、中央上部には日を示す表示ａを有し、その下部には、文字、図形、写真の表示あるいはメモ書き用の空白部分ｂを有し、左側には、１〜６月の表示ｃと各月の前記日に対応する七曜を示す表示ｄとメモ書き用空白ｅを有し、右側には、７〜１２月の表示ｆと各月の前記日に対応する七曜を示す表示ｇとメモ書き用空白ｈを有する複数のシート体Ｓを備え、これら複数のシート体を重ねた状態でこれら複数のシート体の上端部を保持する保持手段１を備えてなる。【選択図】図２
0003230422.tif 000002
【実用新案登録請求の範囲】
【請求項１】
中央上部には日を示す表示を有し、その下部には、文字、図形、写真の表示あるいはメモ書き用の空白部分を有し、
左側には、１〜６月の表示と各月の前記日に対応する七曜を示す表示とメモ書き用空白を有し、
右側には、７〜１２月の表示と各月の前記日に対応する七曜を示す表示とメモ書き用空白を有する複数のシート体を備え、
これら複数のシート体を重ねた状態でこれら複数のシート体の上端部を保持する保持手段を備えてなる日めくりカレンダー。
【請求項２】
前記各月の七曜を示す表示に加えて、各月の前記日に対応する祝祭日が表示されている請求項１に記載の日めくりカレンダー。
【請求項３】
前記各月の七曜を示す表示に加えて、各月の前記日に対応する２４節気が表示されている請求項１または請求項２に記載の日めくりカレンダー。
【請求項４】
前記各月の七曜を示す表示に加えて、各月の前記日に対応する雑節・年中行事が表示されている請求項１〜請求項３のいずれか１項に記載の日めくりカレンダー。
【考案の詳細な説明】
【技術分野】
【０００１】
本考案は、日めくりカレンダーに関するものである。
【背景技術】
【０００２】
日めくりカレンダーとしては、上端部が互いに糊付けされ、水平方向に重ねられた状態の複数枚（３６５枚または３６６枚）のシート体のそれぞれに月日（暦）が１日分ずつ印刷され、１日毎に前記シートを前側から１枚ずつ破り捨てるようにしてあるものが一般的である。
【０００３】
上記の構成からなる日めくりカレンダーでは、前記シート体にその日１日分の日付しか示されていないことから、１枚のシート体にひと月分の暦が表示されているカレンダーに比して、容易にかつ素早くその日の日付を知ることができるというメリットがあり、また、前記シート体を破るという行為を通して、その行為者は日付を強く認識することができた。
【考案の概要】
【考案が解決しようとする課題】
【０００４】
しかし、上記の一般的な日めくりカレンダーは、上述したように、多数（３６５枚または３６６枚）のシート体を重ねた状態としてあったことから、大変分厚くなっており、さらにはその分厚さによって洗練された印象をほとんど与えられなかったため、特にコンパクトさと洗練された印象が求められる一般的な卓上カレンダータイプとすることは、非常に困難であり、実用性の面でも好ましいとは言いがたかった。
【０００５】
また、上記の日めくりカレンダーでは、前記シートを破る際に失敗すると、見栄えが非常に悪くなってしまうことがあり、さらに、１枚のみでなく、２枚以上のシート体を同時
に破ってしまうと、間違った日付が表示されることとなっていた。
【０００６】
一方、一般的な卓上カレンダーには、ひと月分ないしふた月分の暦が印刷されたシート体が用いられていたことから、シート体の枚数が少なくてすみ、これにより、卓上カレン
ダーは全体として薄くなり、洗練された印象を与えることとなっていた。
【０００７】
しかし、上記の卓上カレンダーでは、上述したような日めくりカレンダーによって得ら
れるメリットが得られなかったのである。
【０００８】
本考案は上述の事柄を考慮に入れてなされたものであり、一般的な日めくりカレンダーと卓上カレンダーの双方の長所を有するとともに、その日１日分の日付しか示されていないシート体を毎日捲りながら例えば１６日以降は裏面を使用できるとともに、各シート体に文字、図形、写真の表示あるいはメモ書き用の空白部分を設けることのできる使い勝手のよい日めくりカレンダーを提供することを目的としている。
【課題を解決するための手段】
【０００９】
上記目的を達成するため、本考案の日めくりカレンダーは、中央上部には日を示す表示を有し、その下部には、文字、図形、写真の表示あるいはメモ書き用の空白部分を有し、  左側には、１〜６月の表示と各月の前記日に対応する七曜を示す表示とメモ書き用空白を有し、
右側には、７〜１２月の表示と各月の前記日に対応する七曜を示す表示とメモ書き用空白を有する複数のシート体を備え、
これら複数のシート体を重ねた状態でこれら複数のシート体の上端部を保持する保持手段を備えてなる（請求項１）。
【００１０】
また、本考案は、前記各月の七曜を示す表示に加えて、各月の前記日に対応する祝祭日が表示されている請求項１に記載の日めくりカレンダーを提供する（請求項２）。
【００１１】
また、本考案は、前記各月の七曜を示す表示に加えて、各月の前記日に対応する２４節気が表示されている請求項１または請求項２に記載の日めくりカレンダーを提供する（請求項３）。
【００１２】
また、本考案は、前記各月の七曜を示す表示に加えて、各月の前記日に対応する雑節・年中行事が表示されている請求項１〜請求項３のいずれか１項に記載の日めくりカレンダーを提供する（請求項４）。
【考案の効果】
【００１３】
上記の構成からなる本考案によれば、一般的な日めくりカレンダーと卓上カレンダーの双方の長所を有するとともに、その日１日分の日付しか示されていないシート体を毎日捲りながら１６日以降は裏面より使用できるとともに、各シート体に文字、図形、写真の表示あるいはメモ書き用の空白部分を設けることのできる使い勝手のよい日めくりカレンダーを提供することが可能となる。
【図面の簡単な説明】
【００１４】
【図１】本考案の一実施例を示す斜視図である。
【図２】上記実施例に係る日めくりカレンダーの構成を概略的に示す正面図である。
【図３】上記実施例の変形例の構成を概略的に示す斜視図である。
【図４】上記実施例の更なる変形例の構成を概略的に示す斜視図である。
【考案を実施するための形態】
【００１５】
以下、この考案の実施例を、図を参照しながら説明する。
図１および図２は、本考案の一実施例に係る日めくりカレンダーＤの構成を概略的に示す斜視図および正面図である。
日めくりカレンダーＤは、日を示す表示および各月の表示および各月の前記日に対応する七曜を示す表示を有する複数のシート体Ｓと、重ねた状態の前記複数のシート体Ｓ，Ｓ…の上端部を保持する保持手段１と、二つ折りの状態でかつ折れ曲がり部分を下にした状態で、前記複数のシート体Ｓ，Ｓ…とともに前記保持手段１によりその上端部が保持され、その前後両面のそれぞれの下端部における前記シート体Ｓ，Ｓ…の下端よりも下側の位置に、左右方向にのびる弱化部分２，２が形成されており、２つの弱化部分を山折りすることにより、縦断面がほぼ三角形状のスタンドとなるスタンド形成体３とを備えている。  
【００１６】
詳しくは、前記シート体Ｓの中央上部には日を示す表示ａを有し、その下部には、メモ書き用の空白部分ｂを有し、左側には、１〜６月の表示ｃと各月の前記日に対応する七曜を示す表示ｄとメモ書き用空白ｅを有し、右側には、７〜１２月の表示ｆと各月の前記日に対応する七曜を示す表示ｇとメモ書き用空白ｈを有する複数のシート体Ｓを備え、これら複数のシート体Ｓを重ねた状態でこれら複数のシート体Ｓの上端部を保持する保持手段１を備えてなる。
【００１７】
また、前記各月の七曜を示す表示ｄ，ｇに加えて、各月の前記日に対応する祝祭日が表示ｊされている。
【００１８】
また、前記各月の七曜を示す表示ｄ，ｇに加えて、各月の前記日に対応する２４節気（立春等。図示せず）が表示されている。
【００１９】
また、前記各月の七曜を示す表示ｄ，ｇに加えて、各月の前記日に対応する雑節・年中行事等（図示せず）が表示されている。
【００２０】
ここで、前記雑節・年中行事としては、例えば、旧元日、節分、ひな祭り、彼岸入り、八十八夜、母の日、入梅、父の日、半夏生、七夕、二百十日、二百二十日、彼岸入り、七五三、クリスマスなどが挙げられる。
【００２１】
そして、上記の構成からなるシート体は計１６枚あり、初期状態（未使用状態）において最も前側にあるシート体Ｓの前面は表紙面５となっており、前側から２〜１６枚目のシート体の前面にはそれぞれ、前記日を示す表示として１〜１５がこの順に印刷され、また、最も前側にある前記シート体Ｓの後面には、前記日を示す表示として３１が印刷され、前側から２〜１６枚目のシート体の後面にはそれぞれ、前記日を示す表示として３０〜１６がこの順に印刷されている。
【００２２】
表紙面５の中央上部には、上から下へ順に、「日めくりカレンダー」、「年号による年（実施例では令和３年）」および「西暦による年（実施例では２０２１）」が表示されている。
【００２３】
また、各シート体Ｓの上端部には、複数のシート体Ｓを重ねた状態でこれら複数のシート体Ｓの上端部を保持する保持手段としての穴（パンチ穴）４が左右対称に複数（本実施例では計１０個）設けられている。すなわち、前記保持手段は、重ねられた状態のシート体Ｓの各穴４を挿通するリング体６を前記穴４と同じ数だけ有している。
【００２４】
前記シート体Ｓの寸法は、例えば、縦１４５ｍｍ，横１８０ｍｍと設定することができ、前記スタンド形成体３は、２つ折りの状態で、例えば、縦１９０ｍｍ，横１８０ｍｍとなるように設定することができる。また、前記シート体Ｓおよびスタンド形成体３は、例えば、いずれも紙によって形成することができるが、前記スタンド形成体３は、前記シート体Ｓに比して強度の高い厚紙など、スタンドとしての使用に耐えられる強度を有する材料を用いて形成することが望ましい。
【００２５】
前記日めくりカレンダーＤは、複数の前記シート体Ｓ，Ｓ…をその前側から順に、１日１枚ずつめくっていく（ほぼ１回転させる）ことにより、通常の日めくりカレンダーと同様に用いることができる。
【００２６】
なお、毎月、１６日には、初期状態において前側から１６枚目の（最も後側にある）シート体Ｓ（前記表示ａとして「１５」が記載されているシート体Ｓ，図３参照）をめくった後、日めくりカレンダーＤの前後の向きを変更することにより（以下、このときの状態を反転初期状態という）、続けて使用することができる。
【００２７】
また、１月，３月，５月，７月，８月，１０月，１２月の月末（３１日）には、前記反転初期状態において前側から１６枚目の（最も後側にある）シート体Ｓ（表紙面５の裏面に「３１」が記載されている）、言い換えれば、初期状態において最も前側にあるシート体Ｓが最も前側にある状態となるが、このシート体Ｓをめくらずに、日めくりカレンダーＤの前後の向きを変更することにより、続けて使用することができる。
【００２８】
同様に、４月，６月，９月，１１月の月末（３０日）には、前記反転初期状態において前側から１５枚目のシート体Ｓ、言い換えれば、初期状態において前側から２枚目のシート体Ｓ（前記表示ａとして「３０」が記載されているシート体Ｓ）が最も前側にある状態となるが、このシート体Ｓをめくった後、日めくりカレンダーＤの前後の向きを変えることにより、続けて使用することができる。
【００２９】
そして、２月の月末（２８日）には、前記反転初期状態において前側から１３枚目のシート体Ｓ、言い換えれば、初期状態において前側から４枚目のシート体Ｓ（４枚目のシート体Ｓの裏面に「２８」が記載されている）が最も前側にある状態となるが、このシート体Ｓとそのすぐ後側の２枚のシート体Ｓとをめくった後、日めくりカレンダーＤの前後の向きを変えることにより、続けて使用することができる。
【００３０】
ここで、閏年の場合には、２月の月末（２９日）には、前記反転初期状態において前側から１４枚目のシート体Ｓ、言い換えれば、初期状態において前側から３枚目のシート体Ｓ（４枚目のシート体Ｓの裏面に「２９」が記載されている）が最も前側にある状態となるが、このシート体Ｓとそのすぐ後側の１枚のシート体Ｓとをめくった後、日めくりカレンダーＤの前後の向きを変えることにより、続けて使用することができる。
【００３１】
また、前記日めくりカレンダーＤでは、その日の七曜だけでなく、一年を通して同じ日の七曜も一目でわかるのであり、例えば、図２に示すように、前記表示ａとして「１」が記載されているシート体Ｓからは、「１月１日は元日であり、金曜日であること」、「２月・３月・１１月の１日は月曜日であること」や、「１日が土曜日になるのは年間で５月だけであること」などもがわかるのである。
【００３２】
上述したような上記日めくりカレンダーＤの使い方・見方を、例えば、前記表紙面５に記載するようにしてもよい。
【００３３】
上記の構成からなる日めくりカレンダーＤは、一般的な日めくりカレンダーと卓上カレ  ンダーの双方の長所を有することとなる。
【００３４】
すなわち、前記日めくりカレンダーＤでは、一般的な日めくりカレンダーと同様に、前記シートＳにその日１日分の日付しか示されていないことから、１枚のシートにひと月分の暦が表示されているカレンダーに比して、容易にかつ素早くその日の日付を知ることができるというメリットがあり、また、前記シートＳをめくるという行為を通して、その行為者は日付を強く認識することができるのである。
【００３５】
しかも、上記のような一般的な日めくりカレンダーでは、日付の記載されたシートを破る際に失敗すると、見栄えが非常に悪くなってしまうことがあるとともに、１枚のみでなく、２枚以上の前記シートを同時に破ってしまうと、間違った日付が表示されることとなっていたが、上記卓上日表Ｄでは、シートＳを破るのではなくめくるだけであることから、上記のような問題の生じるおそれが全くないのである。
【００３６】
また、上記日めくりカレンダーＤは、前記スタンド形成体３により形成されるスタンドによって卓上カレンダーとして用いることができるのであるが、一般的な日めくりカレンダーのように３６５枚ものシートを重ねるのではなく、重ねるシートＳ，Ｓ…の枚数を少なくしてあることから、薄く形成することが容易であり、一般的な卓上カレンダーと同様に、コンパクトさと洗練された印象とを備えるものとなり、非常に実用性の面で優れたものとなる。
【００３７】
さらに、この考案では、日「１」を示す表示ａの下部に、メモ書き用の空白部
分ｂを設け、左側には、１〜６月の前記日「１」に対応する七曜を示す表示ｄの下部にメモ書き用空白ｅを設け、右側には、７〜１２月の前記日「１」に対応する七曜を示す表示ｇの下部にメモ書き用空白ｈを設けているので、使い勝手のよい日めくりカレンダーを提供できる。
【００３８】
図３、図４は、それぞれ上記実施例の変形例の構成を概略的に示す斜視図である。  
【００３９】
これらの実施例では、日を示す表示ａの下部に、動物、例えば猫の写真ｍを表示している。
【００４０】
図４において、２月、４月、６月、９月、１１月は３１日が無いので他の月の表示に比べて月の表示（印刷）ｃ’，ｆ’が薄く施されている。これにより行為者は日付表示（印刷）ｃ’，ｆ’を強く認識することができる。
【００４１】
上記の構成からなる本考案によれば、一般的な日めくりカレンダーと卓上カレンダーの双方の長所を有するとともに、その日１日分の日付しか示されていないシート体を毎日捲りながら１６日以降は裏面より使用できるとともに、各シート体に文字、図形、写真の表示あるいはメモ書き用の空白部分を設けることのできる使い勝手のよい日めくりカレンダーを提供することが可能となる。
【図１】
0003230422.tif 000003
【図２】
0003230422.tif 000004
【図３】
0003230422.tif 000005
【図４】
0003230422.tif 000006